(57)【特許請求の範囲】
【請求項１】
内部に作業ステージを形成する足場と、前記足場に上下方向へ向けて設置され、作業員が昇り降りして前記作業ステージへ出入りするための梯子と、該梯子及び前記作業ステージに近接して前記足場に設置され、前記梯子を昇り降りして前記作業ステージへの出入りをする作業員が、前記梯子から水平方向に移動して乗り移って立つための踏み部を有する作業ステージ乗移り用ステップと、前記作業ステージの周囲を包囲して設置される安全手摺りの一部をなすとともに、前記作業ステージ乗移り用ステップに立つ作業員の手動操作によって開閉される開閉式手摺りとを備えることを特徴とする足場構造。
【請求項２】
前記作業ステージ乗移り用ステップは前記足場に係止するための係止部を有する請求項１に記載された足場構造。
【発明の詳細な説明】
【技術分野】
【０００１】
本発明は、足場構造に関し、具体的には、例えば枠組足場や短管足場の側方に設置される梯子からこれらの足場の内部に形成される作業ステージへの作業員の乗移りを、安全かつ容易にするための足場構造に関する。
【背景技術】
【０００２】
建設現場や工事現場に設けられる枠組み足場や短管足場等の足場の側方を作業員が昇降するために、通常、梯子や階段が用いられる。特に、例えば製鉄所に設置される高炉の補修作業に供される足場のように、設置場所が狭い場合や階段を設置しようとしても干渉するものが存在する場合には、作業員の昇降用として梯子が用いられる。
【０００３】
例えば、地上の作業員がこの梯子を昇って足場の内部に形成される作業ステージへ移動する際には、作業ステージの高さに到達した後にこの作業ステージの周囲を包囲する安全手摺りをくぐったり、あるいは乗り越えたりすることによって、梯子から作業ステージへ直接移動している。
【０００４】
このような足場に関しては、これまでにも、作業員の安全性を向上するとともに作業の能率を高めることを目的として、様々な提案がなされている。
例えば特許文献１には、クリンプ金網からなる通気部を有する踏み部及び外枠を有する塞部材と、フック部材及び三日月状に形成されてフック部材に沿って移動することによって掛止部を開放又は閉塞させることができる可動爪部材を有するとともに支持金具の二箇所に設けられる掛止部材とを備える足場部材に係る発明が開示されている。
【０００５】
特許文献２には、金属製の方形の台板の一端側の両側縁部に、開放部分が外方を向くようにして半円状の支持かんを下向きに固定し、台板に支持かんから所要の距離をおいて直線状の支持かんを下向きに垂直に固定し、台板の半円状の支持かんと反対側の端部の中央に吊り下げ用把手を取り付けた鋼管足場用道具類置き台に係る考案が開示されている。
【０００６】
さらに、特許文献３には、壁面に水平に仮設されるレール部材に対し取り外し自在に懸吊する懸吊枠と、これに支持される作業床とから構成される作業床仮設装置に係る発明が開示されている。
【特許文献１】特開平１０−１０２７６３号公報
【特許文献２】登録実用新案公報第３０４９７３９号
【特許文献３】特開平９−３０２９１６号公報
【発明の開示】
【発明が解決しようとする課題】
【０００７】
しかし、これらの発明又は考案に基づいても、作業員が、足場の側方に設置される梯子からこの足場により形成される作業ステージへ乗移る際には、不可避的に、作業員の身体全体が梯子から作業ステージ上へ移動し切るまでの間は、作業員の体重心が足場の外方に存在することとなる。例えば高炉の補修作業の際に設定される作業ステージは、地上高さが例えば２０ｍといった極めて高所に設定されるので、作業員の安全が充分に確保されているとは言い難い。
【０００８】
また、これらの発明又は考案に基づいても、作業ステージの周囲を包囲して設置される安全手摺りは固定されているため、作業員が作業ステージに入る際には安全手摺りをくぐったり、あるいは乗り越えたりしなければならず、作業ステージへの乗り移りの際には不可避的に危険を伴う。
【課題を解決するための手段】
【０００９】
本発明は、内部に作業ステージを形成する足場と、この足場に上下方向へ向けて設置され、作業員が昇り降りして作業ステージへ出入りするための梯子と、これらの梯子及び作業ステージに近接して足場に設置され、梯子を昇り降りして作業ステージへの出入りをする作業員が、梯子から水平方向に移動して乗り移って立つための踏み部と、望ましくは足場に係止するための係止部とを有する作業ステージ乗移り用ステップと、作業ステージの周囲を包囲して設置される安全手摺りの一部をなすとともに、作業ステージ乗移り用ステップに立つ作業員の手動操作によって開閉される開閉式手摺りとを備えることを特徴とする足場構造である。
【発明の効果】
【００１０】
本発明に係る足場構造によれば、例えば枠組足場や短管足場等の足場の側方に設置される梯子からこれらの足場の内部に形成される、高炉の補修作業の際に設定される作業ステージへの作業員の乗移りを、安全かつ容易にすることができるようになる。
【発明を実施するための最良の形態】
【００１１】
はじめに、本発明に係る足場構造の基礎となる知見について簡単に説明する。
（ａ）枠組み足場や単管足場における作業ステージ乗移り部に、作業ステージ乗移り用ステップを設置する。これにより、作業員は乗移り時に作業ステージ乗移り用ステップに一旦体重をかけることができるため、作業ステージへの乗移りが安全かつ容易になる。
【００１２】
（ｂ）作業ステージ乗移り用ステップは、単管足場の場合には作業ステージの端部を支持する布に引っ掛けることができる構造とし、外れ防止に既存の自在クランプで一箇所を固定することが望ましい。
【００１３】
（ｃ）作業ステージの周囲を包囲して設置される安全手摺りの一部を、作業ステージ乗移り用ステップに立つ作業員の手動操作によって開閉される開閉式手摺りに変更する。これにより、作業ステージ乗移り用ステップから作業ステージへの乗移りの際には、作業ステージ乗移り用ステップに立つ作業員の手動操作によって開閉式手摺りを開閉すればよくなり、安全手摺りをくぐったりあるいは乗り越えたりする必要がなくなるので、作業員の安全を高めることができる。
【００１４】
次に、本発明に係る足場構造を実施するための最良の形態を、添付図面を参照しながら詳細に説明する。なお、以降の説明では、足場が単管足場である場合を例にとるが、本発明は単管足場に限定されるものではなく、脚柱、横架材及び補剛材により構成される枠組足場にも同様に適用可能である。
【００１５】
図１は、本実施の形態の足場構造１を示す説明図であり、図１（ａ）はこの足場構造１の全体を示す斜視図であり、図１（ｂ）はこの足場構造１で用いる作業ステージ乗移り用ステップ３０の全体を示す斜視図であり、図１（ｃ）は図１（ａ）におけるＡ矢視図であり、図１（ｄ）は図１（ｂ）におけるＢ矢視図であり、図１（ｅ）は図１（ｂ）におけるＣ矢視図であり、図１（ｆ）は図１（ａ）におけるＤ部付近の拡大図であって図１（ａ）に示す足場構造１で用いる開閉式手摺り４０を示す斜視図であり、さらに、図１（ｇ）は図１（ｆ）におけるＥ矢視図である。
【００１６】
本実施の形態の足場構造１は、足場１０と、梯子２０と、作業ステージ乗移り用ステップ３０と、開閉式手摺り４０とを備えるので、これらの構成要素について順次説明する。
【００１７】
［足場１０］
本実施の形態の足場構造１は、足場１０を有する。足場１０は、図１（ａ）に示すように、鉛直方向へ向けて設けられる４本の建地１１ａ〜１１ｄと、これら建地１１ａ〜１１ｄに周知慣用の自在クランプ（図示しない）により固定される布１２ａ、１２ｃ、１３ａ、１３ｃ、１４ａ、１４ｃ及び腕木１２ｂ、１２ｄ、１３ｂ、１３ｄ、１４ｂ、１４ｄとを有する。腕木１４ｂ、１４ｄには足場板１５ａ〜１５ｄが並列した状態で架け渡されており、足場板１５ａ〜１５ｄにより作業ステージ１６が形成されている。
【００１８】
作業ステージ１６の上方には、さらに、建地１１ａ〜１１ｄに周知慣用の自在クランプ（図示しない）により固定される７本の手すり１７が設けられており、これらの手すり１７によって、作業ステージ１６の周囲を包囲する安全手摺り１８が構成されている。
【００１９】
本実施の形態の足場１０は以上のように構成されるが、本発明はこの足場１０に限定されるものではなく、内部に作業ステージ１６を形成する足場であれば同様に適用可能である。
［梯子２０］
本実施の形態の足場構造１は、梯子２０を有する。梯子２０は、図１（ａ）に示すように、作業員が昇り降りして作業ステージ１６へ出入りするためのものであり、足場１の側方（図示例では建地１１ａ、１１ｂの間）に上下方向へ向けて適宜手段により固定されて設置される。
【００２０】
梯子２０は周知慣用の梯子であればよく、特定の型式の梯子には限定されない。
本実施の形態の梯子２０は以上のように構成される。
［作業ステージ乗移り用ステップ３０］
本実施の形態の足場構造１は、作業ステージ乗移り用ステップ３０を有する。作業ステージ乗移り用ステップ３０は、図１（ａ）〜図１（ｅ）に示すように、梯子２０を昇り降りして作業ステージ１６への出入りをする作業員が一旦立つためのものであるので、梯子２０及び作業ステージ１６に近接して足場１０に設置される。
【００２１】
このため、作業ステージ乗移り用ステップ３０は、作業ステージ１６への出入りをする作業員が立つための踏み部３１を有するとともに、足場１０に係止するためのフック状の二つの係止部３２を有する。係止部３２、３２は、足場１０を構成する布１４ａに係止する。
【００２２】
さらに、この係止部３２は、鋼管３３ａ〜３３ｆからなるとともに踏み部３１を支持する枠体３４に、例えば溶接等の適宜手段により、固定される。
本実施の形態では、枠体３４の下部（図１（ａ）におけるＦ部）は、自在クランプにより、建地１１ａ、１１ｂに周知慣用の自在クランプ（図示しない）により固定される布１９に、固定される。これにより、作業ステージ乗移り用ステップ３０が足場１０から落下することなく、かつガタつくことなく、足場１０に確実に固定される。
【００２３】
本実施の形態では、作業ステージ乗移り用ステップ３０は、その下部は自在クランプにより布１９に固定されるが、上部は係止部３２により係止するので、足場１０への設置が簡便であり、装着及び脱着の利便性が高い。
【００２４】
本実施の形態の作業ステージ乗移り用ステップ３０は、以上のように構成されるが、本発明はこの作業ステージ乗移り用ステップ３０に限定されるものではなく、梯子２０及び作業ステージ１６に近接して足場１０に設置され、梯子２０を昇り降りして作業ステージ１６への出入りをする作業員が立つための踏み部３１を有するものであれば、同様に適用可能である。
【００２５】
また、本実施の形態とは異なり、枠組足場の場合には、作業ステージ乗移り用ステップは、横架材に係止させるとともに補剛材に自在クランプで固定すればよい。
［開閉式手摺り４０］
本実施の形態の足場構造１は、開閉式手摺り４０を有する。
【００２６】
この開閉式手摺り４０は、図１（ａ）、図１（ｆ）及び図１（ｇ）に示すように、手すり及び布１９に、周知慣用の自在クランプ（図示しない）により固定されるパイプ４１、４２の間に設けられる。すなわち、開閉式手摺り４０は、パイプ４２の外径よりも若干大きな内径を有する短管４３の外周面に、手摺りとなるパイプ４４を溶接により固定しておき、この短管４３を、パイプ４２に隙間を有して挿入する。これにより、短管４３がパイプ４２に対して、水平面内で回動自在となる。
【００２７】
そして、通常時には、短管４３を貫通する螺子４５を締め込むことにより、開閉式手摺り４０が締められた状態で固定しておく。これにより、開閉式手摺り４０は、上述した７本の手すり１７とともに、安全手摺り１８を構成する。
【００２８】
本実施の形態の開閉式手摺り４０は以上のように構成されるが、この形態に限定されるものではなく、作業ステージ１７の周囲を包囲して設置される安全手摺り１７の一部をなすとともに、作業ステージ乗移り用ステップ３０に立つ作業員の手動操作によって開閉されるものであれば、同様に適用可能である。
【００２９】
本実施の形態の足場構造１は、以上のように構成される。次に、この足場構造１により、地上の作業員が作業ステージ１６に移動する状況を説明する。
はじめに、地上の作業員は、足場１０に設置された作業員落下防止のためのセフティブロックに命綱を掛けてから、はしご２０により作業ステージ乗移り用ステップ３０に乗り移ることが可能な高さまで昇る。
【００３０】
次に、作業員は、はしご２０の隣に設けられた作業ステージ乗移り用ステップ３０に乗り移る。この乗り移りでは、作業員は水平方向に移動するだけで済むので、バランスを崩したりする可能性が殆どなくなり、安全に乗り移ることができる。
【００３１】
最後に作業員は、開閉式手摺り４０の螺子４５を緩めて、短管４３をパイプ４２に対して水平面内で回動自在としてから、パイプ４４を作業ステージ１６側へ回動させて開ける。そして、作業員は作業ステージ１６へ進入し、パイプ４４を反対方向へ回動させて閉めてから、螺子４５を締め込む。最後に、作業員はセフティブロックを外して、作業ステージ１６への移動を完了する。
【００３２】
このように、本実施の形態の足場構造１によれば、（ｉ）梯子２０から作業ステージ乗移り用ステップ３０への乗り移りの際には作業員は水平方向に移動するだけで済むので、バランスを崩したりする可能性が殆どなくなり、安全に乗り移ることができるとともに、（ｉｉ）作業ステージ乗移り用ステップ３０から作業ステージ１６への乗移りの際には、作業ステージ乗移り用ステップ３０に立つ作業員の手動操作によって開閉式手摺り４０を開閉すればよく、手摺り１７をくぐったりあるいは乗り越えたりする必要がなくなるので、安全に乗り移ることができる。
【００３３】
このため、本実施の形態の足場構造１によれば、例えば枠組足場や短管足場等の足場１０の側方に設置される梯子２０からこれらの足場１０の内部に形成される、高炉の補修作業の際に設定される作業ステージ１６への作業員の乗移りを、安全かつ容易にすることができるようになる。
【図面の簡単な説明】
【００３４】
【図１】実施の形態の足場構造を示す説明図であり、図１（ａ）はこの足場構造の全体を示す斜視図であり、図１（ｂ）はこの足場構造で用いる作業ステージ乗移り用ステップの全体を示す斜視図であり、図１（ｃ）は図１（ａ）におけるＡ矢視図であり、図１（ｄ）は図１（ｂ）におけるＢ矢視図であり、図１（ｅ）は図１（ｂ）におけるＣ矢視図であり、図１（ｆ）は図１（ａ）におけるＤ部付近の拡大図であって図１（ａ）に示す足場構造で用いる開閉式手摺りを示す斜視図であり、さらに、図１（ｇ）は図１（ｆ）におけるＥ矢視図である。
【符号の説明】
【００３５】
１  足場構造
１０  足場
１１ａ〜１１ｄ  建地
１２ａ、１２ｃ、１３ａ、１３ｃ、１４ａ、１４ｃ、１９  布
１２ｂ、１２ｄ、１３ｂ、１３ｄ、１４ｂ、１４ｄ  腕木
１５ａ〜１５ｄ  足場板
１６  作業ステージ
１７  手すり
１８  安全手摺り
２０  梯子
３０  作業ステージ乗移り用ステップ
３１  踏み部
３２  係止部
３３ａ〜３３ｆ  鋼管
３４  枠体
４０  開閉式手摺り
４１、４２  パイプ
４３  短管
４４  パイプ
４５  螺子
【図１】
0005358983.tif 000002